(57)【要約】      （修正有）【課題】痛みが生じる前の段階において、日常生活やスポーツなどによりずれた肩甲骨および腕を正しい位置に補正するすることができる姿勢補正シャツを提供する。【解決手段】本体部２と、前記本体部２よりも緊締力が強い第１緊締部３と、を含む姿勢補正シャツ１において、前記第１緊締部３を、左肘上部３ａから左上腕部の外側３ｂを経由して左肩部３ｃ、左肩部３ｃから背面側の首下部を経由して右肩部３ｅ、および右肩部３ｅから右上腕部の外側３ｆを経由して右肘上部３ｇ、に位置せしめる。【選択図】図１
0003208219.tif 000002
【実用新案登録請求の範囲】
【請求項１】
本体部と、前記本体部よりも緊締力が強い第１緊締部と、を含む姿勢補正シャツであって、
前記第１緊締部は、左肘上部から左上腕部の外側を経由して左肩部、左肩部から背面側の首下部を経由して右肩部、および右肩部から右上腕部の外側を経由して右肘上部、に位置することを特徴とする姿勢補正シャツ。
【請求項２】
前記本体部よりも緊締力が強く、前記第１緊締部よりも緊締力が弱い第２緊締部をさらに含み、
前記第２緊締部は、少なくとも、前面側の首下部から胸部の中央部を経由して下腹部、および下腹部から背面側に廻って背中部、に位置することを特徴とする請求項１に記載の姿勢補正シャツ。
【考案の詳細な説明】
【技術分野】
【０００１】
本考案は、姿勢補正に関する。
【背景技術】
【０００２】
例えば特許文献１に開示されているように、従来から姿勢の補正・矯正を目的とした製品が数多く開発されている。
【０００３】
また一方で、特許文献２や３に開示されているように、従来から種々の肩関節用サポーターも開発されており、四十肩や五十肩の痛み防止、さらには野球などにおいて肩を酷使した際に生じる肩の痛みの緩和など多くの場面で肩関節用サポーターが用いられている。
【先行技術文献】
【特許文献】
【０００４】
【特許文献１】特開２０１４−２１４３９３号公報
【特許文献２】特開２００３−２６５６７０号公報
【特許文献３】特開２００３−１０２７７６号公報
【考案の概要】
【考案が解決しようとする課題】
【０００５】
しかしながら、例えば特許文献１に開示されているように、姿勢の補正・矯正を目的とした製品のほとんどは、女性のバストアップやウェストの引き締めなど、美しい体型をつくるためのものであり、一方で、肩関節用サポーターのほとんどは、痛みが発生した後に着用するためのものであった。すなわち、従来にあっては、肩、より具体的には肩甲骨の位置に着目し、痛みが生じる前の段階において、ずれた肩甲骨を正しい位置に補正することを目的とした姿勢補正シャツは存在していなかった。
【０００６】
本考案はこのような状況においてなされたものである。本考案者は、本来肩甲骨および腕は肋骨の上に乗っかった状態にてぶら下がっているという人体の構造に着目し、痛みが生じる前の段階において、日常生活やスポーツなどによりずれた肩甲骨および腕を正しい位置に補正するすることができる姿勢補正シャツを提供することを主たる課題とする。
【課題を解決するための手段】
【０００７】
前記課題を解決するための考案は、本体部と、前記本体部よりも緊締力が強い第１緊締部と、を含む姿勢補正シャツであって、前記第１緊締部は、左肘上部から左上腕部の外側を経由して左肩部、左肩部から背面側の首下部を経由して右肩部、および右肩部から右上腕部の外側を経由して右肘上部、に位置することを特徴とする。
【０００８】
前記の考案にあっては、前記本体部よりも緊締力が強く、前記第１緊締部よりも緊締力が弱い第２緊締部をさらに含み、前記第２緊締部は、前面側の首下部から胸部の中央部を経由して下腹部、および下腹部から背面側に廻って背中部、に位置していてもよい。
【考案の効果】
【０００９】
本考案の姿勢補正シャツによれば、使用者が立った状態（直立位）において上肢帯全体を引き上げている筋肉を補助することができ、これにより腕と肩甲骨を最も安静な位置すなわち腕と肩甲骨を肋骨の上に誘導し、身体の重心軸を整えることができる。より具体的には、本考案の姿勢補正シャツは、本体部と、前記本体部よりも緊締力が強い第１緊締部と、を含み、前記第１緊締部は、左肘上部から左上腕部の外側を経由して左肩部、左肩部から背面側の首下部を経由して右肩部、および右肩部から右上腕部の外側を経由して右肘上部、に位置していることから、当該第１緊締部の作用により、使用者の両腕および両肩甲骨は身体の中心である背骨の方向に自然に引き上げられた状態にて、無理なく固定される。よって腕自体の重さに起因する負荷を緩和することができ、肩関節にある骨、靱帯、筋（筋）、および筋肉のそれぞれが適度に緩んだ状態を作り出すことができ、正しい姿勢に補正することができる。さらに、本考案の姿勢補正シャツによれば、肋骨が位置する部分には第１緊締部は設けられていないため、使用中に肋骨の動きが制限されることがない。したがって、肋骨の動きが制限されることによって生じる様々な不具合、たとえば身体の痛みや軋みの発生を防止することもできる。
【００１０】
また、本考案において、前記本体部よりも緊締力が強く、前記第１緊締部よりも緊締力が弱い第２緊締部をさらに設け、前記第２緊締部を、前面側の首下部から胸部の中央部を経由して下腹部、および下腹部から背面側に廻って背中部、に位置せしめることで、使用中に、本考案の姿勢補正シャツ全体が前記第１緊締部に引っ張られて背中側にずれてくることを効果的に防止することができる。
【図面の簡単な説明】
【００１１】
【図１】本考案の第１の実施形態にかかる姿勢補正シャツを着用した使用者の正面図である。
【図２】本考案の第１の実施形態にかかる姿勢補正シャツを着用した使用者の背面図である。
【図３】本考案の第２の実施形態にかかる姿勢補正シャツを着用した使用者の正面図である。
【図４】本考案の第２の実施形態にかかる姿勢補正シャツを着用した使用者の背面図である。
【考案を実施するための形態】
【００１２】
以下、図面を参照しながら、本考案を実施形態について詳細に説明する。なお、本考案は以下に説明する形態に限定されることはなく、技術思想を逸脱しない範囲において種々変形を行なって実施することが可能である。また、添付の図面においては、説明のために上下、左右の縮尺を誇張して図示することがあり、実際のものとは縮尺が異なる場合がある。
【００１３】
（第１の実施形態）
図１は、本考案の第１の実施形態にかかる姿勢補正シャツを着用した使用者の正面図であり、図２は、本考案の第１の実施形態にかかる姿勢補正シャツを着用した使用者の背面図である。
【００１４】
図１、２に示すように、本考案の第１の実施形態にかかる姿勢補正シャツ１は、本体部２と、前記本体部２よりも緊締力が強い第１緊締部３と、から構成されている。そして、前記第１緊締部３が、左肘上部３ａから左上腕部の外側３ｂを経由して左肩部３ｃ、左肩部３ｃから背面側の首下部３ｄを経由して右肩部３ｅ、および右肩部３ｅから右上腕部の外側３ｆを経由して右肘上部３ｇ、に位置していることに特徴を有している。
【００１５】
このように、姿勢補正シャツ１の本体部２よりも緊締力が強い第１緊締部３が、左肘上部３ａから右肘上部３ｇに至るまで図示する所定の部分に設けられていることにより、使用者の両腕および両肩甲骨を身体の中心である背骨の方向に自然に引き上げ、無理なく固定することができ、肋骨の上に両肩甲骨が乗っかった状態（重心軸に乗っかった状態）を作ることができる。
【００１６】
ここで、本実施形態にかかる姿勢補正シャツ１を構成する本体部２の生地については、特に限定されることはなく、従来公知のシャツや下着において用いられている種々の生地を適宜選択することができる。例えば、通気性および伸縮性に優れた生地を用いることが好ましい。
【００１７】
一方で、本実施形態にかかる姿勢補正シャツ１を構成する第１緊締部３の生地については、前記本体部２において用いられている生地よりも緊締力が強いことを条件に、特に限定されることはない。第１緊締部３の緊締力は、両腕および両肩甲骨を支える筋や筋肉をサポートすることができればよいため、本体部２の緊締力よりも僅かに強い場合であっても効果を奏することができる。したがって第１緊締部３を構成する具体的な生地についても特に限定されることはなく、例えば紐のようなものであってもよく、さらには本体部２を構成する生地と同じ生地を用い、第１緊締部３の部分だけ、前記本体部２の生地を二重にするようにしてもよい。
【００１８】
第１緊締部３が設けられる位置については上記の通りであり、具体的には、左肘上部３ａから左上腕部の外側３ｂを経由して左肩部３ｃ、左肩部３ｃから背面側の首下部３ｄを経由して右肩部３ｅ、および右肩部３ｅから右上腕部の外側３ｆを経由して右肘上部３ｇである。より詳細な位置については、使用する者の腕の長さや肩幅、筋肉量などを考慮した上でオーダーメイドにて作成することが好ましい。理論的には、両腕および両肩甲骨が重心軸に乗っかった状態となるように、第１緊締部３の各寸法が決定される。
【００１９】
また、第１緊締部３は、少なくとも上記の部分に設けられていればよく、上記の部分以外に設けられていてもよい。例えば、図１、２に示すように、左肘上部３ａからさらに延長されて左肘下部まで設けられていても良く、同様に右肘上部３ｇからさらに延長されて右肘下部まで設けられていても良い。また、この場合にあっては、図１、２に示すように左右の肘の動きを妨げないように、肘の部分に開口部が形成されていてもよい。
【００２０】
（第２の実施形態）
図３は、本考案の第２の実施形態にかかる姿勢補正シャツを着用した使用者の正面図であり、図４は、本考案の第２の実施形態にかかる姿勢補正シャツを着用した使用者の背面図である。
【００２１】
なお、図３、４においては、図１および２に示した本考案の第１の実施形態にかかる姿勢補正シャツと同じ構成にあっては同一の符号を付ける。
【００２２】
図３、４に示すように、本考案の第２の実施形態にかかる姿勢補正シャツ１は、本体部２、および前記本体部２よりも緊締力が強い第１緊締部３に加え、前記本体部２よりも緊締力が強く、前記第１緊締部３よりも緊締力が弱い第２緊締部４が設けられている。そして、当該第２緊締部４は、少なくとも、前面側の首下部４ａから胸部の中央部４ｂを経由して下腹部４ｃ、および下腹部４ｃから背面側に廻って背中の一部４ｄ、に位置している。
【００２３】
このように所定の部分に、所定の緊締力を有する第２緊締部４を設けることにより、前記で説明した第１緊締部３の緊締力により、使用中に姿勢補正シャツ１全体が背中側にずれてしまうことを効果的に防止することができるとともに、仮に背中側にずれたばあいであっても胸の部分をつかんで下方に引っ張ることにより、正しい位置に戻すことができる。
【００２４】
なお、背面側における第２緊締部４の位置については、少なくとも背中の一部４ｄに位置していればよく、従って、図４に示すように、背中のほぼ全体が第２緊締部４となっていてもよく、これとは異なり、脇下の部分までとなっていてもよい（図示せず）。背面側における第２緊締部４の位置については、縫製のしやすさや製造コストなどを考慮して適宜設計変更することができる。
【符号の説明】
【００２５】
１…姿勢補正シャツ
２…本体部
３…第１緊締部
４…第２緊締部
【図１】
0003208219.tif 000003
【図２】
0003208219.tif 000004
【図３】
0003208219.tif 000005
【図４】
0003208219.tif 000006